(57)【要約】【課題】  従来の反転蓋の機構は、回転軸を持つ蓋、付勢部材、軸受け部を含む筺体、回転軸脱落防止部材（蓋の回転軸左右を挟むため２部材必要）によって構成されていた。しかしながら部品点数が多いという問題があった。【解決手段】  付勢部材と軸受け部材を含む筺体に、新たに回転軸を脱落させる力が働いても脱落防止部材としても働く機能をもたせる。これにより回転軸脱落防止部材は２つとも廃止できる。【選択図】  図３
2011090237.tif 000002
【特許請求の範囲】
【請求項１】
開閉可能な蓋を有し、前記蓋は1軸の回転軸部と、蓋の開閉時に指掛け部とは前記回転軸部を挟んで逆側の位置にカム形状を有しており、
前記カム形状に対して方端固定で常に付勢をする付勢部材と、
前記回転軸部を受ける軸受け部材を含む筺体を有する回転蓋機構において
前記付勢部材の軌跡を逃げた所であり、かつ前記付勢部材が前記回転軸部が抜ける方向に前記軌跡以上に押し込まれた場合に、前記付勢部が塑性変形しない程度の位置に前記軸受け部材を含む筺体から前記付勢部材の受け部が形成され、
前記回転軸部が抜ける方向において、前記軌跡の最大軌跡と前記付勢部材の受け部との距離をα,前記軸受け部材の深さから前記回転軸部の直径を引いた距離をβとした場合、β＞αとなることを特徴とする蓋の回転軸脱落防止構造。
【請求項２】
前記付勢部材の受け部は前記回転軸部を挟んで、前記付勢部の固定部とは逆側に配置することを特徴とする請求項１に記載の蓋の回転軸脱落防止構造。
【請求項３】
前記付勢部材は板バネであり、前記付勢部の受け部と接触する前記板バネ近傍はバネの変位方向と反対方向に折り曲げた、段差面形状であることを特徴とする請求項１、及び請求項２に記載の蓋の回転軸脱落防止構造。
【発明の詳細な説明】
【技術分野】
【０００１】
本発明は蓋の回転軸の脱落防止に関するものである。
【背景技術】
【０００２】
従来の反転蓋の機構は、回転軸、蓋、付勢部材、軸受け部材を含む筺体、回転軸脱落防止部材（蓋の回転軸左右を挟むため２部材必要）によって構成されていた。（例えば非特許文献１参照）
以下、図4aにより従来の蓋の回転軸脱落防止機構について説明する。
【０００３】
蓋412に回転軸413を先に組み付け、その状態のまま回転軸413が軸受け部材を含む筺体411の軸受部に嵌合するように組み付ける。その後、回転軸413が脱落しないように、軸受け部材を含む筺体411と脱落防止部材414,415とで回転軸413を挟みこみ、ビス416で脱落防止部材414を留める。その後、付勢部材417は蓋412に付勢しながら、軸受け部材を含む筺体411にビス418で留める。このとき、付勢部材417は同時に脱落防止部材415に対しても付勢し脱落防止部材415を軸受け部材を含む筺体411に押しつけることで、回転軸413の脱落を防止している。
【０００４】
また、脱落防止部材414,415を廃止し、付勢部材417のみで蓋412を押さえる構造も考えられる。この場合の断面図を図４bに示す。ただしこの場合、軸受け部419の深さから回転軸部の径を引いた距離をβとすると、蓋412がε方向に距離β以上押し込まれると、回転軸413が脱落する。
【先行技術文献】
【特許文献】
【０００５】
【特許文献１】特許第4003168号明細書
【非特許文献】
【０００６】
【非特許文献１】ビデオSALON  玄光社  2009/05  ｐ117
【発明の概要】
【発明が解決しようとする課題】
【０００７】
しかしながら、上記従来例では回転軸脱落防止のために回転軸脱落防止部材414,415（２部品）が必要な構成であったため、部品点数が多いという問題点があった。また、単に回転軸脱落防止部材414,415を廃止するだけでは、蓋の回転軸が脱落する問題があった。
【課題を解決するための手段】
【０００８】
本発明の回転軸脱落防止機構は、開閉可能な蓋を有し、前記蓋は1軸の回転軸部と、蓋の開閉時に指掛け部とは前記回転軸部を挟んで逆側の位置にカム形状を有しており、
前記カム形状に対して方端固定で常に付勢をする付勢部材と、
前記回転軸部を受ける軸受け部材を含む筺体を有する回転蓋機構において
前記付勢部材の軌跡を逃げた所であり、かつ前記付勢部材が前記回転軸部が抜ける方向に前記軌跡以上に押し込まれた場合に、前記付勢部が塑性変形しない程度の位置に前記軸受け部材を含む筺体から前記付勢部材の受け部が形成され、
前記回転軸部が抜ける方向において、前記軌跡の最大軌跡と前記付勢部材の受け部との距離をα,前記軸受け部材の深さから前記回転軸部の直径を引いた距離をβとした場合、β＞αとなることを特徴としている。
【０００９】
また、本発明の他の特徴とするところは、前記付勢部材の受け部は前記回転軸部を挟んで、前記付勢部の固定部とは逆側に配置することを特徴としている。
【００１０】
また、本発明のその他の特徴とするところは、前記付勢部材は板バネであり、前記付勢部の受け部と接触する前記板バネ近傍はバネの変位方向と反対方向に折り曲げた、段差面形状であることを特徴とする
【発明の効果】
【００１１】
以上説明したように、本発明によれば、既存の蓋、付勢部材、軸受け部材を含む筺体を利用することで蓋の回転軸脱落を防止できた。よって従来あった回転軸脱落防止部材414,415（２部品）を廃止でき部品削減になった。またそれに伴い回転軸脱落防止部材を留めていたビスの廃止も可能となった。
【図面の簡単な説明】
【００１２】
【図１】１aは本実施形態の部品構成図、１ｂ,１ｃ,１ｄは１ａに示した部品の単部品詳細図。
【図２】図１に示した部品を組み付ける様子を示している、２ａは筐体13に蓋11を取り付ける途中の状態である、２ｂは２ａの状態に付勢部材12を取り付けた様子を示している。
【図３】図２ｂのように全ての部品が組み込まれた場合の断面図である、３ａは付勢部材12が最大変位となった場合の断面図となっている、３ｂは蓋11を回転軸部111が脱落する方向へ押している場合の断面図である。
【図４】従来例の部品構成図、４ｂは従来例の断面図。
【発明を実施するための形態】
【００１３】
図１aは本実施形態の部品構成図となっている。11は回転軸を持った開閉可能な蓋、12は付勢部材（ここでは板バネ）、13は軸受け部材を含む筐体、14は付勢部材12を方端固定するビスである。
【００１４】
図1b,図1c,図1d,は図1aに示した部品の単部品詳細図である。
【００１５】
開閉可能な蓋11は1軸の回転軸部111と、蓋の開閉時に指かけ部112とは回転軸部111を挟んで逆側の位置にカム形状113を有している。
【００１６】
付勢部材12は固定部121で方端固定され方持ちバネとなり、カム形状113に対して常に付勢をする。また後に示す軸受け部材を含む筐体13側の付勢部材12の受け部132に対応する、付勢部12側の受け部122を備える。受け部122はカム形状113との接触部の先で付勢部材12に曲げを２個所123入れた先に備える。また筐体13との位置決め及び振れ止め部を124を備える。
【００１７】
軸受け部材を含む筐体13は、蓋11の回転軸部111を受ける軸受け部131を備える。また付勢部材12の軌跡を逃げた位置で、かつ付勢部材12が回転軸部111が抜ける方向に最大軌跡以上に押し込まれた場合に、付勢部12が塑性変形しない程度の位置に付勢部材12の受け部132も備える。また、蓋11を組み付けるために必要な開口部133も備える。また付勢部材12との位置決め及び振れ止め部を134も備える。
【００１８】
図2は図1に示した部品を組み付ける様子を示している。
【００１９】
図2aは軸受け部材を含む筐体13に開閉可能な蓋11を取り付ける途中の状態である。軸受け部材を含む筐体13には開閉可能な蓋11の厚みより若干大きな開口部133を持ち体裁面とは逆の方（矢印λの方向）からその開口部133を通すように開閉可能な蓋11を組み付ける。この時、蓋の回転軸部111は、筐体の軸受け部131と紙面上下方向で摺動嵌合される。
【００２０】
図2bは図2aの状態に付勢部材12を取り付けた様子を示している。付勢部材12は付勢部材側の受け部122を筐体側の受け部132に差し込みながら、付勢部材の位置決め及び振れ止め部124を筐体の位置決め及び振れ止め部134に嵌合するように組み込む。そして付勢部材12の固定のために、付勢部材の固定部121にビス14を留める。
【００２１】
図3は図2bの断面図A＿Aである。
【００２２】
図3aは付勢部材12が最大変位となった場合の断面図となっている。この時に回転軸部111が抜ける方向εにおいて、付勢部材側の受け部122を筐体側の受け部132との距離をα,前記軸受け部の深さから前記回転軸部の径を引いた距離をβとした場合、α＞0、β＞αとなることで付勢部材12の軌跡を邪魔することがなく、かつ蓋11を回転軸部111が脱落する方向εへ押されても付勢部材12を介して筐体の受け部132に付勢部側の受け部122が接触するため、回転軸111の脱落を防止できる。
【００２３】
図3bは蓋11を回転軸部111が脱落する方向εへ押して回転軸111が移動している場合の断面図である。筐体と付勢部の受け部同士132,122が接触し回転軸部の脱落を防止している様子がわかる。
【００２４】
または筐体と付勢部の受け部132,122は回転軸部111を挟んで、付勢部12の固定部121とは逆側に配置する。これにより蓋12が押された場合、付勢部12が両端固定の梁となり、その他の場所で受けるより強力に回転軸部111の脱落防止が可能である。
【００２５】
また付勢部材12は回転軸部111が脱落する方向εにおいて、付勢部の受け部311と接触する、付勢部側の受け部122近傍は平板状態での軌跡より小さい軌跡になるように曲げが２箇所123追加されている。これにより軌跡が小さくなり小スペース化が可能である。
【００２６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００２７】
11  回転軸を持った開閉可能な蓋
111  回転軸部
112  指かけ部
113  カム形状
12  付勢部材（ここでは板バネ）
121  固定部
122  受け部
123  曲げ２箇所
124  位置決め及び振れ止め部
13  軸受部を含む筐体
131  軸受け部
132  受け部
133  開口部
134  位置決め及び振れ止め部
14  付勢部材12を方端固定するビス
α  付勢部材側の受け部122を筐体側の受け部132との距離
β  軸受け部の深さから前記回転軸部の径を引いた距離
ε  回転軸部111が脱落する方向
λ  蓋の組み付け方向
411  軸受け部材を含む筺体
412  蓋
413  回転軸
414,415  回転軸脱落防止部材
416  ビス
417  付勢部材
418  ビス
419  軸受け部
【図１】
2011090237.tif 000003
【図２】
2011090237.tif 000004
【図３】
2011090237.tif 000005
【図４】
2011090237.tif 000006